(57)【要約】【課題】操縦部に搭乗した状態、又は機外に立った状態で乗降用のステップの張出しと収納を容易に切換えることができるコンバインを提供する。【解決手段】操縦席（１０）の前側下方に形成したフロア面（１７）の外側下部に、該フロア面（１７）に乗降するためのステップ（２０）を備え、このステップ（２０）を機体側に収納した収納位置と機体外側方に張出した張出位置とに切換えるステップ操作具（２３）を操縦席（１０）の外側部近傍の部位に備える。また、ステップ操作具（２３）とステップ（２０）を連結する連結部材（２６）を操縦席（１０）下側の原動フレーム（１４）内に配置する。また、連結部材（２６）の下端部をステップ（２０）の後部に連結する。【選択図】図５
2013121336.tif 000002
【特許請求の範囲】
【請求項１】
機体の左右一側に操縦部（３５）を備え、該操縦部（３５）における操縦席（１０）の前側下方にフロア面（１７）を形成したコンバインにおいて、
前記フロア面（１７）の外側下部に、該フロア面（１７）に乗降するためのステップ（２０）を備え、該ステップ（２０）を機体側に収納した収納位置と機体外側方に張出した張出位置とに切換えるステップ操作具（２３）を前記操縦席（１０）の外側部近傍の部位に備えたことを特徴とするコンバイン。
【請求項２】
前記ステップ操作具（２３）とステップ（２０）を連結する連結部材（２６）を操縦席（１０）下側の原動フレーム（１４）内に配置した請求項１記載のコンバイン。
【請求項３】
前記連結部材（２６）の下端部をステップ（２０）の後部に連結した請求項１又は請求項２記載のコンバイン。
【請求項４】
前記原動フレーム（１４）の外側部に開閉自在なラジエータカバー（２８）を備え、前記ステップ操作具（２３）と連結部材（２６）を接続する接続部材（２５）を原動フレーム（１４）内に配置し、前記ラジエータカバー（２８）を開放することで接続部材（２５）が露出する構成とした請求項２又は請求項３記載のコンバイン。
【請求項５】
前記ステップ（２０）を前後方向の軸心まわりに回動自在に支持するステップ支持部（２０ａ）を備え、機体外側部に備える分草ガイド（２９）の前端部を、ステップ支持部（２０ａ）又はステップ（２０）の後部に接続した請求項１から４のいずれか一項に記載のコンバイン。
【発明の詳細な説明】
【技術分野】
【０００１】
本発明は、コンバインに関する。
【背景技術】
【０００２】
大型のコンバインはオペレータが搭乗して操縦操作を行う操縦台が機体の高い位置にあるために、操縦台に乗り降りするための足掛かりとなるステップが必要になるが、このステップは機体の側方に張り出すために、張り出したままでは刈取走行中に穀稈と干渉することがある。
このために、例えば、特許文献１には、操縦台床面の前寄りに設けたステップ操作ペダルの踏み込み操作によってステップを収納するようにした構成が示されている。
【先行技術文献】
【特許文献】
【０００３】
【特許文献１】特開２００６−２０５４４号公報
【発明の概要】
【発明が解決しようとする課題】
【０００４】
上記特許文献１記載の技術は、操縦部のフロア面にステップ操作ペダルが設けられているので、オペレータが操縦台に乗降する際に支障となる虞がある。また、ステップを機外から張出し操作し難いという問題がある。
そこで、本発明では、操縦部に搭乗した状態、又は機外に立った状態でステップの張出しと収納を容易に切換えることができるコンバインを提供することを課題とする。
【課題を解決するための手段】
【０００５】
上記本発明の課題は、次の技術手段により解決される。
請求項１に記載の発明は、機体の左右一側に操縦部（３５）を備え、該操縦部（３５）における操縦席（１０）の前側下方にフロア面（１７）を形成したコンバインにおいて、前記フロア面（１７）の外側下部に、該フロア面（１７）に乗降するためのステップ（２０）を備え、該ステップ（２０）を機体側に収納した収納位置と機体外側方に張出した張出位置とに切換えるステップ操作具（２３）を前記操縦席（１０）の外側部近傍の部位に備えたことを特徴とするコンバインとした。
請求項２に記載の発明は、前記ステップ操作具（２３）とステップ（２０）を連結する連結部材（２６）を操縦席（１０）下側の原動フレーム（１４）内に配置した請求項１記載のコンバインとした。
請求項３に記載の発明は、前記連結部材（２６）の下端部をステップ（２０）の後部に連結した請求項１又は請求項２記載のコンバインとした。
請求項４に記載の発明は、前記原動フレーム（１４）の外側部に開閉自在なラジエータカバー（２８）を備え、前記ステップ操作具（２３）と連結部材（２６）を接続する接続部材（２５）を原動フレーム（１４）内に配置し、前記ラジエータカバー（２８）を開放することで接続部材（２５）が露出する構成とした請求項２又は請求項３記載のコンバインとした。
請求項５に記載の発明は、前記ステップ（２０）を前後方向の軸心まわりに回動自在に支持するステップ支持部（２０ａ）を備え、機体外側部に備える分草ガイド（２９）の前端部を、ステップ支持部（２０ａ）又はステップ（２０）の後部に接続した請求項１から４のいずれか一項に記載のコンバインとした。
【発明の効果】
【０００６】
請求項１記載の発明によれば、操縦席（１０）の外側部近傍の部位にステップ操作具（２３）を備えるため、操縦者は、操縦席（１０）に着座した状態でステップ（２０）を収納位置から張出位置に容易に切換えることができ、機外に降りた状態でも、このステップ操作具（２３）を容易に操作することができる。
請求項２記載の発明によれば、請求項１記載の発明による効果に加えて、連結部材（２６）を操縦席（１０）下側の原動フレーム（１４）内に配置しているので、この連結部材（２６）と穀稈やオペレータの接触を防止して、ステップ（２０）の切換えを円滑に行うことができる。
請求項３記載の発明によれば、請求項１又は請求項２記載の発明による効果に加えて、刈取り作業中に連結部材（２６）及びこの連結部材（２６）が連結されるステップ（２０）に穀稈が引っ掛かることを防止でき、ステップ（２０）切換えの作動不良を防止できる。
請求項４記載の発明によれば、請求項２又は請求項３記載の発明による効果に加えて、ラジエータカバー（２８）を開放することで、ステップ（２０）と、その切換機構の分解等のメンテナンスを容易に行うことができる。
請求項５記載の発明によれば、請求項１から４のいずれか一項に記載の発明による効果に加えて、機体外側部に備える分草ガイド（２９）の前端部をステップ（２０）に接続したことで、ステップ（２０）又はステップ支持部２０ａから後方に向けて穀稈を円滑に案内することができる。
【図面の簡単な説明】
【０００７】
【図１】コンバインの全体左側面図である。
【図２】サンバイザを取り外したコンバインの全体平面図である。
【図３】操縦席近傍の平面図である。
【図４】操縦部及び原動部の要部分解斜視図である。
【図５】操縦部の要部を示す側面図である。
【図６】要部の正面図である。
【発明を実施するための形態】
【０００８】
以下、本発明の実施形態を図面に示す実施例を参照しながら説明する。なお、左右とは機体の前進走行方向を向いたときの左右方向をいう。
【０００９】
コンバイン１の機体フレーム２の下部には、ゴムなどの可撓性材料を素材として無端帯状に成型したクローラ４を駆動スプロケット４ａと複数の遊動転輪４ｃと従動輪４ｂに巻回し、乾田はもちろんのこと湿田においても沈下しないで走行できる構成の走行装置３を備え、機体フレーム２の前部には刈取装置６を搭載し、機体フレーム２の右側に脱穀装置８を搭載し、機体フレーム２の左側にグレンタンク７と原動フレーム１４を搭載する。脱穀装置８で脱穀され、藁などと選別された穀粒は一番揚穀筒３２で送り揚げてグレンタンク７に一時貯留され、グレンタンク７が穀粒で満杯になれば穀粒排出オーガ９により外部へ穀粒を搬出する。
また、原動フレーム１４の上部に操縦部３５を備える。操縦部３５には、オペレータが着座する操縦席１０を設け、原動フレーム１４の前にオペレータが搭乗するフロアステップ（フロア面）１７を設け、フロント操作ポスト（操作ポスト）１８に操舵レバー１３を、サイド操作パネル２１に主変速レバー１２等の操縦装置を設け、前記操縦席１０の上方にサンバイザ１１を設けている。
原動フレーム１４は、少なくとも前端の前面１４ｆと後端の後面１４ｒと操縦席１０の下側に配置される前側天面１４ａと、この前側天面１４ａよりも高い位置に配置される後側天面１４ｂを有する箱状の構造部材であり、右外側方は、エンジン（図示省略）に冷却風を導入するために開口し、この開口部にラジエータカバー２８が配置される。
【００１０】
サンバイザ１１は、原動フレーム１４の後側天面１４ａに立設した支柱１５に平行リンク１６で支持した操縦席１０と操舵レバー１３を覆う平面視四角形で、搭乗ステップ１７に立ったオペレータの頭上を覆う正規位置Ａと、平行リンク１６で構成した支持部を後方へ折り曲げて操縦席１０に座ったオペレータの頭上を覆う低位置Ｂと、操縦席１０に極接近した格納位置Ｃに保持出来るようにしている。サンバイザ１１を低位置Ｂにした状態で、オペレータが操縦席１０に座ってサイドミラー（図示省略）を見ながら操舵レバー１３や主変速レバー１２を操作して操縦可能である。
【００１１】
低位置Ｂのサンバイザ１１は、連結ロッド３３で原動フレーム１４に引きつけることでサンバイザ１１を最も低くした格納位置Ｃに固定出来る。
【００１２】
グレンタンク７の天井の前隅部７ａは前へ向かって下り傾斜に形成して、サンバイザ１１を低位置Ｂにした際に平行リンク１６が当たらないようにしている。
【００１３】
フロアステップ１７の下方には、フロアステップ１７上に搭乗するための上乗降ステップ１９と下乗降ステップ（ステップ）２０を設けている。下乗降ステップ２０は上乗降ステップ１９よりも側方へ張出し、後述するように上方へ回動して上乗降ステップ１９の下に収納可能である。
【００１４】
図３〜図５に示す如く、下乗降ステップ２０は、その基部を前後方向の支軸で機体フレーム２側に固定されたステップ支持部２０ａに枢支し、下乗降ステップ２０とステップ支持部２０ａとの間に備えるスプリング２２が所謂支点越えをすることで側方へ張り出す張出位置と上方へ回動した収納位置に切換えることができる。下乗降ステップ２０は、張出位置においてステップ支持部２０ａのストッパ２０ｂが機体フレーム２に当接する。
【００１５】
そして、下乗降ステップ２０は、この下乗降ステップ２０の後側に突出するピン２０ｄと操縦席１０の近傍に配置されるステップ操作レバー（ステップ操作具）２３を連結ロッドにより連結し、操縦席１０に着座した状態で、張出位置と収納位置に切換可能としている。
なお、ステップ操作レバー２３は、地上から（クローラの下端部から）１４０ｃｍから１６０ｃｍの高さに配置することが望ましく、本実施例では１５０ｃｍの高さに配置されており、機体の右側方に立ったオペレータが機外から操作可能である。
連結ロッド（連結部材）２６は、上下にスライド可能に設け、この連結ロッド２６の上端と操縦席１０の右側部で操縦席支持フレーム（前側天面）１４ａを上下に貫通するステップ操作レバー２３の下端とを接続部材２５として連結長さを調整可能なターンバックルで連結している。連結ロッド２６の位置は、前後方向では、下乗降ステップ２０と原動フレーム１４内のラジエータ２７の間で、左右方向では、ラジエータカバー２８及び収納位置の下乗降ステップ２０よりも内側（左側）である。そして、連結ロッド２６は、ラジエータカバー２８の下端部よりも下側の部位がピンに向かって屈曲して下乗降ステップ２０と連結されている。そのため、ラジエータカバー２８をその後端部近傍の縦軸まわりに回動させ、ラジエータ２７の外側面（右側面）を開放する際にラジエータカバー２８と連結ロッド２６が干渉することを防止できる。
【００１６】
しかして、オペレータが搭乗する際に、ステップ操作レバー２３を上方に引き上げるか、下乗降ステップ２０を直接把持して下方へ回動して張出位置にしてフロアステップ１７に搭乗し、操縦席１０に座った後でステップ操作レバー２３を下方へ押し下げると下乗降ステップ２０が上方へ回動して収納位置になる。
【００１７】
また、ステップ操作レバー２３は、張出位置と収納位置で固定可能にして、不測に当たっても切り換えられないようにすると良い。
【００１８】
また、フロントパネル１８上に下乗降ステップ２の状態を示すランプを設け、収納位置をセンサで検出してランプを点灯するようにしても良い。さらに、モニタを設けて、張出位置と収納位置を表示するようにしても良い。
下乗降ステップ２０のステップ支持部２０ａに前端部を取付け、後端部を機体フレーム２に取り付けた後側分草ガイド（分草ガイド）２９は、機体右側方に位置する未刈穀稈を案内する。刈取装置６から後方へ延出した前側分草ガイド３４によって案内された穀稈は、収納位置の下乗降ステップ２０の下側に位置するストッパ２０ｂの外端縁に案内され、後側分草ガイド２９に引継がれる。後側分草ガイド２９は、正面視において右側のクローラ４の外側部下端とラジエータカバー２８を結んだ線よりも外側に位置させており、穀稈がラジエータカバー２８下部や機体フレーム２に干渉することを防止する。なお、後側分草ガイド２９の後部は、ラジエータカバー２８の後端部よりも後側で、機体内側に向けて屈曲させ、後端部が機体フレーム２の下面に連結されている。
なお、後側分草ガイド２９の前端部は下乗降ステップ２０の後部に取り付け、収納位置と張出位置の切換に伴って後側分草ガイド２９の前部が左右に移動させることもできる。
【００１９】
原動フレーム１４の後側で機体フレーム２に搭載するグレンタンク７は、サンバイザ１１を格納位置Ｃにしたままで、穀粒排出オーガ９の縦送り筒９ａを中心にして前側を側方へ回動して内部のメンテナンスを行えるようにしている。
【００２０】
このグレンタンク７の機体中心側には、脱穀装置８で脱穀した穀粒を送り揚げる一番揚穀筒３２が設けられ、この一番揚穀筒３２の上部を低位置Ｂにしたサンバイザ１１で覆って、雨が一番揚穀筒３２の上部から脱穀装置８内へ侵入しないようにする。
【符号の説明】
【００２１】
２    機体フレーム
１０  操縦席
１４  原動フレーム
１７  フロアステップ（フロア面）
２０  下乗降ステップ（ステップ）
２０ａ  ステップ支持部
２３  ステップ操作レバー（ステップ操作具）
２５  ターンバックル（接続部材）
２６  連結ロッド（連結部材）
２８  ラジエータカバー
２９  後側分草ガイド（分草ガイド）
３５  操縦部
【図１】
2013121336.tif 000003
【図２】
2013121336.tif 000004
【図３】
2013121336.tif 000005
【図４】
2013121336.tif 000006
【図５】
2013121336.tif 000007
【図６】
2013121336.tif 000008